(57)【要約】      （修正有）【課題】特に薄型基板を固定して加工を行うための保持装置を提供する。【解決手段】本考案の保持装置は、それぞれ、板状の基板３０をはめ込む開口１１、２１が形成された本体枠１２、２２により構成された２つの保持本体１０、２０を有し、本体枠１２、２２に間隔をおいて複数の磁性部材１３、２３が埋設され、２つの保持本体１０、２０における開口１１、２１及び本体枠１２、２２が互いに対応すると共に、複数の磁性部材１３、２３が互いに吸着することによって、２つの保持本体１０、２０の本体枠１２、２２が組み合わされ、そのため、２つの保持本体１０、２０が基板３０を挟持して固定することができ、露光や、現像、エッチングなどの加工過程において基板３０が変形したり折れたりしてしまう事態を防ぐことができる。【選択図】図２
0003206442.tif 000002
【実用新案登録請求の範囲】
【請求項１】
板状の基板を保持する保持装置であって、
前記板状の基板をはめ込む開口が形成された本体枠により構成された２つの保持本体をそれぞれ有し、
前記本体枠に間隔をおいて複数の磁性部材が埋設され、
前記２つの保持本体における開口及び本体枠が互いに対応すると共に前記複数の磁性部材が互いに吸着することによって、前記２つの保持本体の本体枠が組み合わされることを特徴とする保持装置。
【請求項２】
前記保持本体は、本体枠の一面に形成されて２つの保持本体の組み合わせの際に対向するように形成された貼付面と前記開口の周囲に位置すると共にそれぞれの本体枠の内縁部に凹設された嵌入凹部とをそれぞれ有し、前記２つの保持本体が貼り合わされたときに前記嵌入凹部が対向してその間に空間を構成することを特徴とする請求項１に記載の保持装置。
【請求項３】
前記保持本体それぞれの本体枠の対応する同一の側部に、対向しない箇所にそれぞれ欠け凹部がさらに凹設されていることを特徴とする請求項２に記載の保持装置。
【請求項４】
前記開口との直交方向と平行するようにそれぞれ貫通する複数の排出穴が、前記保持本体それぞれの本体枠に形成されていることを特徴とする請求項１乃至請求項３の何れか１項に記載の保持装置。
【請求項５】
前記一方の保持本体の複数の排出穴が、前記他方の保持本体の複数の排出穴に対応してそれぞれ連通することを特徴とする請求項４に記載の保持装置。
【請求項６】
前記間隔をおいて開口に向かう方向に開口と連通するように複数の排出穴が、前記保持本体それぞれの本体枠に形成されていることを特徴とする請求項１乃至請求項３の何れか１項に記載の保持装置。
【請求項７】
前記開口に向かう方向にその一端が嵌入凹部と連通する複数の排出溝が、前記保持本体それぞれの貼付面に凹設され、前記一方の保持本体と他方の保持本体とを貼り合わせたときに前記保持本体それぞれに形成された前記排出溝が対応して組み合わされて穴を形成することを特徴とする請求項２または請求項３に記載の保持装置。
【請求項８】
板状の基板を保持する保持装置であって、
複数の開口が間隔をおいて形成された本体枠と複数の磁性部材と貼付面と嵌入凹部と欠け凹部と複数の排出穴とを有して構成された２つの保持本体をそれぞれ備え、
前記一方の保持本体の複数の開口と前記他方の保持本体の複数の開口とは、それぞれ対応して形成され、
前記複数の磁性部材が、本体枠にそれぞれ間隔をおいて埋設され、
前記２つの保持本体の磁性部材が互いに対応して吸着することによって、前記２つの保持本体の本体枠が貼り合わせられ、
前記貼付面は、前記２つの保持本体が貼り合わせられたときに前記本体枠それぞれの対向する一面に形成され、
前記嵌入凹部は、前記開口の周囲に位置すると共に前記それぞれの本体枠の内縁部に凹設され、前記２つの保持本体が貼り合わされたときに嵌入凹部が対向してその間に空間を構成し、
前記欠け凹部は、前記保持本体それぞれの本体枠の対応する同一の側部に、対向しない箇所にそれぞれ凹設され、
前記複数の排出穴は、前記保持本体それぞれの本体枠に、それぞれ開口との直交方向と平行するように貫通してそれぞれ形成され、前記２つの保持本体に形成された複数の排出穴がそれぞれ対応して連通することを特徴とする保持装置。
【請求項９】
板状の基板を保持する保持装置であって、
複数の開口が間隔をおいて形成された本体枠と複数の磁性部材と貼付面と嵌入凹部と欠け凹部と複数の排出穴とを有して構成された２つの保持本体をそれぞれ備え、
前記一方の保持本体の複数の開口と前記他方の保持本体の複数の開口とは、それぞれ対応して形成され、
前記複数の磁性部材が、前記本体枠にそれぞれ間隔をおいて埋設され、
前記２つの保持本体の磁性部材が互いに対応して吸着することによって、前記２つの保持本体の本体枠が貼り合わせられ、
前記貼付面は、前記本体枠それぞれの、前記２つの保持本体が貼り合わせられたときに対向する一面に形成され、
前記嵌入凹部は、前記開口の周囲に位置すると共に前記それぞれの本体枠の内縁部に凹設された嵌入凹部とを有し、２つの保持本体が貼り合わされたときに前記嵌入凹部が対向してその間に空間を構成し、
前記欠け凹部は、前記保持本体それぞれの本体枠の対応する同一の側部に、対向しない箇所にそれぞれ凹設され、
前記複数の排出穴は、前記保持本体それぞれの本体枠に、それぞれ開口に向かう方向に平行するように貫通してそれぞれ形成されていることを特徴とする保持装置。
【請求項１０】
板状の基板を保持する保持装置であって、
複数の開口が間隔をおいて形成された本体枠と複数の磁性部材と貼付面と嵌入凹部と、欠け凹部と複数の排出溝とを有して構成された２つの保持本体をそれぞれ備え、
前記一方の保持本体の複数の開口と前記他方の保持本体の複数の開口とは、それぞれ対応して形成され、
前記複数の磁性部材が、本体枠にそれぞれ間隔をおいて埋設され、
前記２つの保持本体の磁性部材が互いに対応して吸着することによって、前記２つの保持本体の本体枠が貼り合わせられ、
前記貼付面は、前記２つの保持本体が貼り合わせられたときに前記本体枠それぞれの対向する一面に形成され、
前記嵌入凹部は、前記開口の周囲に位置すると共にそれぞれの本体枠の内縁部に凹設された嵌入凹部とを有し、前記２つの保持本体が貼り合わされたときに前記嵌入凹部が対向してその間に空間を構成し、
前記欠け凹部は、前記保持本体それぞれの本体枠の対応する同一の側部に、対向しない箇所にそれぞれ凹設され、
前記複数の排出溝は、前記開口に向かう方向にその一端が嵌入凹部と連通する複数の排出溝が前記保持本体それぞれの貼付面にそれぞれ凹設され、一方の保持本体と他方の保持本体とを貼り合わせたとき、前記保持本体それぞれに形成された前記排出溝が対応して組み合わされて穴を形成することを特徴とする保持装置。
【考案の詳細な説明】
【技術分野】
【０００１】
本考案は、特に、薄型基板を固定して加工を行うための保持装置に関するものである。
【背景技術】
【０００２】
スマートフォンやタブレット端末などの情報機器は、薄型、携帯の利便性などが求められ、技術の躍進に伴い、それらの情報機器の薄型化、小型化がますます進んでいるなか、電子デバイスなどを実装する基板も、そのサイズがますます小さくなっている。
【０００３】
従来の回路基板は、板状、またはフィルム状の部品であり、露光や、現像、エッチングなどの工程を経てその表面に多数の電子部品を固定し、さらにその部品間を配線にて接続して電子回路を構成する。
その基板の製造プロセスにおいて、現像液やエッチング液などに浸して各種の加工を行う必要がある。
【考案の概要】
【考案が解決しようとする課題】
【０００４】
しかしながら、従来の基板は、薄型の板状またはフィルム状であることから、加工液に浸したり取り出したりする際に、変形したり折れたりすることが起こり易く、それにより、スループットが低下し生産コストが高くなるため、基板の変形や、折り目の発生を防ぐ何らかの手段が望まれていた。
【課題を解決するための手段】
【０００５】
本考案は、板状の基板を保持する保持装置であって、板状の基板をはめ込む開口が形成された本体枠により構成された２つの保持本体をそれぞれ有し、本体枠に間隔をおいて複数の磁性部材が埋設され、２つの保持本体における開口及び本体枠が互いに対応すると共に複数の磁性部材が互いに吸着することによって、２つの保持本体の本体枠が組み合わされる。
【０００６】
かかる保持装置において、保持本体のそれぞれは、本体枠の一面に形成され、２つの保持本体の組み合わせの際に対向するように形成された貼付面と開口の周囲に位置すると共にそれぞれの本体枠の内縁部に凹設された嵌入凹部とを有し、２つの保持本体が貼り合わされたときに嵌入凹部が対向してその間に空間を構成することが好ましい。
【０００７】
かかる保持装置において、保持本体それぞれの本体枠の対応する同一の側部に、対向しない箇所にそれぞれ欠け凹部がさらに凹設されていることが好ましい。
【０００８】
かかる保持装置において、保それぞれ開口との直交方向と平行するように貫通する複数の排出穴が、持本体それぞれの本体枠に形成されていること好ましい。
【０００９】
かかる保持装置において、一方の保持本体の複数の排出穴が、それぞれ他方の保持本体の複数の排出穴に対応して連通することが好ましい。
【００１０】
かかる保持装置において、それぞれ間隔をおいて開口に向かう方向に開口と連通するように、複数の排出穴が、保持本体それぞれの本体枠に形成されていることが好ましい。
【００１１】
かかる保持装置において、開口に向かう方向にその一端が嵌入凹部と連通する複数の排出溝が保持本体それぞれの貼付面に凹設され、一方の保持本体と他方の保持本体とを貼り合わせたとき、保持本体それぞれに形成された前記排出溝が対応して組み合わされて穴を形成することが好ましい。
【００１２】
また、本考案の保持装置は、以下の記載に基づいて、板状の基板を保持する保持装置であって、
それぞれ、間隔をおいて複数の開口を形成した本体枠と複数の磁性部材と貼付面と嵌入凹部と欠け凹部と複数の排出穴とを有して構成された２つの保持本体を備え、
一方の保持本体の複数の開口と他方の保持本体の複数の開口とは、それぞれ対応して形成され、
複数の磁性部材が、それぞれ間隔をおいて本体枠に埋設されて２つの保持本体の磁性部材が互いに対応して吸着することにより２つの保持本体の本体枠が貼り合わせられ、
貼付面は、本体枠それぞれの、２つの保持本体が貼り合わせられたときに対向する一面に形成され、
嵌入凹部は、開口の周囲に位置すると共に、それぞれの本体枠の内縁部に凹設され、２つの保持本体が貼り合わされたときに嵌入凹部が対向してその間に空間を構成し、
欠け凹部は、保持本体それぞれの本体枠の対応する同一の側部に、対向しない箇所にそれぞれ凹設され、
複数の排出穴はそれぞれ、保持本体それぞれの本体枠に、それぞれ開口との直交方向と平行するように貫通して形成され、２つの保持本体に形成された複数の排出穴がそれぞれ対応して連通する。
【００１３】
さらに、本考案の保持装置は、以下の記載に基づいて、板状の基板を保持する保持装置であって、
それぞれ、間隔をおいて複数の開口が形成された本体枠と、本体枠と、複数の磁性部材と、貼付面と、嵌入凹部と、欠け凹部と、複数の排出穴とを有して構成された２つの保持本体を備え、
一方の保持本体の複数の開口と他方の保持本体の複数の開口とは、それぞれ対応して形成され、
複数の磁性部材が、それぞれ間隔をおいて本体枠に埋設され、２つの保持本体の磁性部材が互いに対応して吸着することによって２つの保持本体の本体枠が貼り合わせられ、
貼付面は、本体枠それぞれの、２つの保持本体が貼り合わせられたときに対向する一面に形成され、
嵌入凹部は、開口の周囲に位置すると共にそれぞれの本体枠の内縁部に凹設された嵌入凹部とを有し、２つの保持本体が貼り合わされたときに嵌入凹部が対向してその間に空間を構成し、
欠け凹部は、保持本体それぞれの本体枠の対応する同一の側部に、対向しない箇所にそれぞれ凹設され、
複数の排出穴は、それぞれ、保持本体それぞれの本体枠それぞれ開口に向かう方向に平行するように貫通して形成されている。
【００１４】
本考案の保持装置は、以下の記載に基づいて、板状の基板を保持する保持装置であって、
それぞれ、間隔をおいて複数の開口が形成された本体枠と複数の磁性部材と貼付面と嵌入凹部と欠け凹部と複数の排出溝とを有して構成された２つの保持本体を備え、
一方の保持本体の複数の開口と他方の保持本体の複数の開口とはそれぞれ対応して形成され、
複数の磁性部材が、それぞれ間隔をおいて本体枠に埋設され、２つの保持本体の磁性部材が互いに対応して吸着することによって２つの保持本体の本体枠が貼り合わせられ、
貼付面は、本体枠それぞれの、２つの保持本体が貼り合わせられたときに対向する一面に形成され、
嵌入凹部は、開口の周囲に位置すると共に、それぞれの本体枠の内縁部に凹設された嵌入凹部とを有し、２つの保持本体が貼り合わされたときに、嵌入凹部が対向してその間に空間を構成し、
欠け凹部は、保持本体それぞれの本体枠の対応する同一の側部に、対向しない箇所にそれぞれ凹設され、
複数の排出溝は、それぞれ、保持本体それぞれの貼付面に、開口に向かう方向にその一端が嵌入凹部と連通する複数の排出溝が凹設され、一方の保持本体と他方の保持本体とを貼り合わせたとき、保持本体それぞれに形成された排出溝が対応して組み合わされて穴を形成する。
【考案の効果】
【００１５】
本考案の保持装置は、上述した構造を有することから、以下の効果を奏する。
本考案の保持装置において、２つの保持本体に埋設されている磁性部材の吸着力によって、保持本体の貼付面と保持本体の貼付面とが互いに吸着して貼り合わされることにより、本体枠の嵌入凹部と保持本体の嵌入凹部との間に基板を挟持して固定することができるため、基板を現像液やエッチング液などの加工液に浸したり取り出したりする加工作業は、基板が保護された状態で行われ、従来の加工過程において基板が変形したり折れたりしてしまう事態を防ぐことができる。
【００１６】
また、保持本体は、複数の排出穴または複数の排出溝を有することから、保持本体及び基板に付着している加工液、例えば、基板を現像液から取り出したら現像液を素早く排出させることができ、それにより、加工の効果を向上させることができる。
【００１７】
さらに、本考案の保持装置は、必要に応じて加工液に耐えられる材質からなり、或いは、そのような材質を表面に被覆してもよく、それにより、基板をさらに安定に保持することができる。
【図面の簡単な説明】
【００１８】
【図１】本考案の第一実施例の斜視図である。
【図２】本考案の第一実施例の分解斜視図である。
【図３】本考案の第一実施例の保持本体の側面断面図である。
【図４】本考案の第二実施例の保持本体の断面図である。
【図５】本考案の第三実施例の保持本体の平面図である。
【考案を実施するための形態】
【００１９】
図１及び図２に示すように、本考案に係る保持装置の第一実施例は、２つの保持本体１０、２０を有する。
【００２０】
図１乃至図３に示すように、保持本体１０のそれぞれは、板状の基板をはめ込む開口１１が形成された本体枠１２と、複数の磁性部材１３と、欠け凹部１４と、貼付面１５と、嵌入凹部１６と、複数の排出穴１７とを有し、その内、複数の磁性部材１３は、それぞれ間隔をおいて本体枠１２に埋設され、欠け凹部１４は、本体枠１２の側部に凹設され、本実施例の欠け凹部１４は、本体枠１２の上側部に凹設され、貼付面１５は、本体枠１２の一面に形成され、嵌入凹部１６は、開口１１の周囲に位置すると共に、開口１１と連通するように、本体枠１２の貼付面１５の内縁部に凹設され、複数の排出穴１７は、それぞれ、開口１１と直交方向と平行するように、本体枠１２を貫通するように形成される。
【００２１】
図１及び図２に示すように、保持本体２０は、保持本体１０と同様に、開口２１が形成された本体枠２２と、複数の磁性部材２３と、欠け凹部２４と、貼付面２５と、嵌入凹部２６と、複数の排出穴２７とを有することから、その詳細な説明を省略する。
【００２２】
図１及び図２に示すように、本考案の第一実施例を実施する時、一方の保持本体１０と他方の保持本体２０とをそれぞれの本体枠１２が対応するように貼り合わせるようにすれば、保持本体１０の磁性部材１３が、保持本体２０の磁性部材２３に対応して互いに吸着されることから、保持本体１０の本体枠１２と保持本体２０の本体枠２２とが組み合わされ、すなわち、保持本体１０の貼付面１５と保持本体２０の貼付面２５が、磁性部材１３、２３によって互いに吸着して貼り合わされる。
【００２３】
さらに、保持本体１０の嵌入凹部１６が保持本体２０の嵌入凹部２６に対応していることから、２つの保持本体１０、２０の間に空間が形成され、そのため、基板３０を保持本体１０の嵌入凹部１６と保持本体２０の嵌入凹部２６との間に嵌め込むことができる。
また、保持本体１０の嵌入凹部１６の底面と保持本体２０の嵌入凹部２６の底面との距離が基板３０の厚さよりも小さいことから、保持本体１０と保持本体２０とが互いに吸着して貼り合わされることによって、基板３０を嵌入凹部１６と嵌入凹部２６との間に挟持し保持して加工を行うことができる。
【００２４】
具体的に言えば、その基板３０は、薄型の基板であり、本考案の保持装置を用いて固定して露光や、現像、エッチングなどの加工作業を行うことができる。
本考案の保持装置が基板３０を固定して現像液やエッチング液などの加工液に浸すと、その加工液により保持本体１０の開口１１及び保持本体２０の開口２１を介して基板３０の表面を加工する。
その加工作業が終了すると、加工液から保持装置を取り出し、付着している加工液を排出する必要であるが、この時、保持本体１０の排出穴１７及び保持本体２０の排出穴２７が、それぞれ連通していることから、現像液やエッチング液などの加工液を排出穴１７及び排出穴２７を介して素早く排出することができる。
【００２５】
また、保持本体１０の欠け凹部１４及び保持本体２０の欠け凹部２４が、それぞれ本体枠１２及び本体枠２２の対応する同一の上側部に形成されているが、それぞれの欠け凹部１４が、対向しない箇所に形成しているため、その欠け凹部１４、２４から磁性部材１３と磁性部材２３との吸着力を抵抗して保持本体１０と保持本体２０とを離間させることが簡単にでき、基板３０を取り外すことができる。
【００２６】
図４に示すように、本考案の第二実施例では、その保持本体１０Ａの複数の排出穴１７Ａは、それぞれ間隔をおいて開口１１Ａに向かう方向に開口１１Ａと連通するように本体枠１２Ａに形成され、その複数の磁性部材１３Ａが、それぞれ本体枠１２Ａの４つの隅に埋設される点を除いて、第一実施例と同一である。
【００２７】
図５に示すように、本考案の第三実施例では、その保持本体１０Ｂに排出穴１７を形成する代わりに、複数の排出溝１８が開口１１に向かう方向に、その一端が嵌入凹部１６Ｂと連通するように貼付面１５Ｂに凹設され、また、２つの保持本体１０Ｂにある複数の排出溝１８が対応するように形成されていることから、２つの保持本体１０Ｂを貼り合わせると、一方の保持本体１０Ｂの排出溝１８が他方の保持本体１０Ｂの排出溝１８に組み合せて加工液を排出可能な穴となる点を除いて、第一実施例と同一であり、それらの穴を介して現像液やエッチング液などの加工液を素早く排出することができる。
【００２８】
以上の第一実施例乃至三実施例は、本考案の好ましい実施形態の説明に過ぎず、本考案を限定するものではない。
本考案の保持装置は、基板の加工作業に応じて、保持本体１０、２０の中央部に開口１１、２１が形成された枠の形状にするだけではなく、保持本体を日字形や、田字形、井字形、Ｘ字形などの形状にすることも可能であり、いずれの形状でも、本体枠に複数の開口を、間隔をおいて形成するとよい。
その他の構造では、前記実施例と同一であるので、詳細な説明を省略する。
【００２９】
本考案の保持装置は、２つの保持本体１０、２０に埋設されている磁性部材１３、２３の吸着力によって、保持本体１０の貼付面１５と保持本体２０の貼付面２５とが、互いに吸着して貼り合わされることにより、本体枠１２の嵌入凹部１６と保持本体２０の嵌入凹部２６との間に基板３０を挟持して固定することができるため、基板３０を現像液やエッチング液などの加工液に浸したり取り出したりする加工作業は、基板が保護された状態で行われ、従来の加工過程において基板が変形したり折れたりしてしまう事態を防ぐことができる。
さらに、保持本体１０、１０Ｂは、排出穴１７、１７Ａまたは排出溝１８を有すれば、保持本体１０、１０Ｂ及び基板３０に付着している加工液、例えば、基板３０を現像液から取り出したら現像液を素早く排出させることができ、それにより、加工の効果を向上させることができる。
【００３０】
本考案の保持装置は、必要に応じて加工液に耐えられる材質からなり、或いは、そのような材質を表面に被覆してもよく、例えば、エポキン（ｅｐｏｘｙ）を保持本体１０、２０の表面に被覆することが好ましく、それにより、基板をさらに安定に保持することができる。
【００３１】
以上は、本考案の好ましい実施形態の説明に過ぎず、本考案を限定するものではない。
通常の知識を有する当該分野の者が、本考案の技術要旨を逸脱しない範囲で、以上に開示された技術内容に基づいてなされた同等効果を有する如何なる簡単な修正或いは変更は、いずれも本考案の保護範囲内に含まれるものとする。
【符号の説明】
【００３２】
１０、１０Ａ、１０Ｂ、２０  ・・・保持本体
１１、１１Ａ、２１   ・・・開口
１２、１２Ａ、２２   ・・・本体枠
１３、１３Ａ、２３   ・・・磁性部材
１４、１４Ａ、１４Ｂ、２４  ・・・欠け凹部
１５、１５Ｂ、２５   ・・・貼付面
１６、１６Ｂ、２６   ・・・嵌入凹部
１７、１７Ａ、２７   ・・・排出穴
１８   ・・・排出溝
３０   ・・・基板
【図１】
0003206442.tif 000003
【図２】
0003206442.tif 000004
【図３】
0003206442.tif 000005
【図４】
0003206442.tif 000006
【図５】
0003206442.tif 000007